【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
縦軸を有し、かつ
少なくとも一部分が実質的に円柱形であるボディ；および
該ボディと一体であるチップであって、該チップの少なくとも一部分が実質的に半球形である、チップ
を含む、中心部材と；
ボディ；
該ボディと一体であるチップ；および
該中心部材の縦軸と同心的である内腔
を含む第一の外側部材であって、該第一の外側部材と該中心部材との間に第一の流路が画定されるように配置されている、第一の外側部材と；
ボディ；
該ボディと一体であるチップ；および
該中心部材の縦軸と同心的である内腔
を含む第二の外側部材であって、該第二の外側部材と該第一の外側部材との間に第二の流路が画定されるように配置されている、第二の外側部材と
を含む、燃焼装置であって、
流体が該第一の流路を通って移動して該第一の外側部材のチップから出ることを可能にし；かつ
流体が該第二の流路を通って移動して該第二の外側部材のチップから出ることを可能にするように構成されている、
燃焼装置。
【請求項２】
第一の外側部材のチップの少なくとも一部分および第二の外側部材のチップの少なくとも一部分がそれぞれ中心部材のチップに向かって延びるか、または
中心部材のチップが第一端および第二端を有し、かつ該チップの第二端が実質的に凹状である、
請求項1記載の装置。
【請求項３】
第一の流路および第二の流路の少なくとも一部分の幅が変化することができるように中心部材が第一の外側部材および第二の外側部材に対して調節可能であるか、または
該第一の流路の少なくとも一部分の幅が変化することができるように該第一の外側部材が該中心部材に対して調節可能であるか、または
該第二の流路の少なくとも一部分の幅が変化することができるように該第二の外側部材が該中心部材に対して調節可能である、
請求項1記載の装置。
【請求項４】
第一の流路と流体連通した四つの入口であって、これらを通って流体が該第一の流路に入ることができる、四つの入口；および
第二の流路と流体連通した四つの入口であって、これらを通って流体が該第二の流路に入ることができる、四つの入口
をさらに含む、請求項1記載の装置。
【請求項５】
中心部材に結合された渦流式導流板をさらに含み、
第一の流路および第二の流路を通って移動する流体が攪乱されるように、該渦流式導流板が、少なくとも部分的に該第一の流路および該第二の流路の中に広がり、
該中心部材が、該中心部材の縦軸と同心的でありかつ該中心部材のボディおよびチップを通って延びる内腔を含むならば、該中心部材の内腔を通って移動する流体が攪乱される、
請求項1記載の装置。
【請求項６】
第一の外側部材が、流体を第一の流路に対して実質的に垂直に該第一の流路に導入することができるように構成されているか、または
第二の外側部材が、流体を第二の流路に対して実質的に垂直に該第二の流路に導入することができるように構成されている、
請求項1記載の装置。
【請求項７】
ボディがベースに結合されており、中心部材のチップの少なくとも一部分が第一の外側部材のチップよりも該ベースから遠く、かつ該中心部材のチップの少なくとも一部分が第二の外側部材のチップよりも該ベースから遠い、ベースと；
該中心部材に結合された点火プラグと
をさらに含む、請求項1記載の装置。
【請求項８】
チップを有する中心部材であって、該チップの少なくとも一部分が実質的に半球形である、中心部材；および
第一の外側部材
によって画定される第一の流路に第一の流体を導入する工程；
該第一の外側部材および第二の外側部材によって画定される第二の流路に第二の流体を導入する工程；
該第一の流体および該第二の流体を該中心部材のチップの上に流し、混合させる工程；および
該第一の流体と該第二の流体との混合物を発火させる工程
を含む、燃焼方法。
【請求項９】
第一の流体を第一の流路に対して実質的に垂直に該第一の流路に導入する工程；または
第二の流体を第二の流路に対して実質的に垂直に該第二の流路に導入する工程
をさらに含む、請求項8記載の方法。
【請求項１０】
第一の流路および第二の流路の少なくとも一部分の幅が変化するように中心部材を第一の外側部材および第二の外側部材に対して調節する工程、または
該第一の流路の少なくとも一部分の幅が変化するように該第一の外側部材を該中心部材に対して調節する工程、または
該第二の流路の少なくとも一部分の幅が変化するように該第二の外側部材を該中心部材に対して調節する工程
をさらに含む、請求項8記載の方法。
【請求項１１】
第一の流路の少なくとも一部分の幅が変化するように第一の外側部材を中心部材に対して調節する工程であって、該第一の流路の少なくとも一部分の幅が消炎距離に類似している、工程、または
第二の流路の少なくとも一部分の幅が変化するように第二の外側部材を該中心部材に対して調節する工程であって、該第二の流路の少なくとも一部分の幅が消炎距離に類似している、工程
をさらに含む、請求項8記載の方法。
【請求項１２】
第一の流体が燃料を含み、かつ第二の流体が空気を含むか、
該第一の流体が空気を含み、かつ該第二の流体が燃料を含むか、
該第一の流体が燃料を含み、かつ該第二の流体が酸化剤を含むか、
該第一の流体が酸化剤を含み、かつ該第二の流体が燃料を含むか、
該第一の流体が空気と燃料との混合物を含み、かつ該第二の流体が燃料と空気との混合物を含むか、または
該第一の流体が酸化剤と燃料との混合物を含み、かつ該第二の流体が燃料と酸化剤との混合物を含む、
請求項8記載の方法。
【請求項１３】
第一の流体が希薄予混合物を含み、かつ第二の流体が濃厚予混合物を含み、かつ該希薄予混合物および該濃厚予混合物が可燃性であるか、または
該第一の流体が濃厚予混合物を含み、かつ該第二の流体が希薄予混合物を含み、かつ該希薄予混合物および該濃厚予混合物が可燃性である、
請求項8記載の方法。
【請求項１４】
第三の流体を中心部材の内腔を通って導入する工程であって、該中心部材が、縦軸を有し、かつ
少なくとも一部分が実質的に円柱形であるボディ；および
該ボディと一体であるチップであって、該チップの少なくとも一部分が実質的に半球形である、チップ
を含み、該中心部材の内腔が該中心部材の縦軸と同心的でありかつ該ボディおよび該チップを通って延びる、工程
をさらに含み、
第一の流体および第二の流体を該中心部材のチップの上に流し、該第三の流体と混合させる工程；および
該第一の流体、該第二の流体および該第三の流体の混合物を発火させる工程
を含む、
請求項8記載の方法。
【請求項１５】
第一の流体、第二の流体および第三の流体の混合物を点火プラグで発火させる工程であって、該第一の流体が燃料を含み、該第二の流体が空気を含み、かつ該第三の流体が燃料を含むか、該第一の流体が空気を含み、該第二の流体が燃料を含み、かつ該第三の流体が燃料を含む、工程
をさらに含み、点火プラグが中心部材に結合されている、請求項14記載の方法。
【手続補正２】
【補正対象書類名】明細書
【補正対象項目名】００１５
【補正方法】変更
【補正の内容】
【００１５】
[本発明1001]
縦軸を有し、かつ
少なくとも一部分が実質的に円柱形であるボディ；および
該ボディと一体であるチップであって、該チップの少なくとも一部分が実質的に半球形である、チップ
を含む、中心部材と；
ボディ；
該ボディと一体であるチップ；および
該中心部材の縦軸と同心的である内腔
を含む第一の外側部材であって、該第一の外側部材と該中心部材との間に第一の流路が画定されるように配置されている、第一の外側部材と；
ボディ；
該ボディと一体であるチップ；および
該中心部材の縦軸と同心的である内腔
を含む第二の外側部材であって、該第二の外側部材と該第一の外側部材との間に第二の流路が画定されるように配置されている、第二の外側部材と
を含む、燃焼装置であって、
流体が該第一の流路を通って移動して該第一の外側部材のチップから出ることを可能にし；かつ
流体が該第二の流路を通って移動して該第二の外側部材のチップから出ることを可能にするように構成されている、
燃焼装置。
[本発明1002]
第一の外側部材のチップの少なくとも一部分および第二の外側部材のチップの少なくとも一部分がそれぞれ中心部材のチップに向かって延びる、本発明1001の装置。
[本発明1003]
中心部材が長さ250〜320ミリメートルである、本発明1001の装置。
[本発明1004]
中心部材が長さ285ミリメートルである、本発明1001の装置。
[本発明1005]
中心部材が25〜75ミリメートルの直径を含む、本発明1001の装置。
[本発明1006]
中心部材が50ミリメートルの直径を含む、本発明1001の装置。
[本発明1007]
第一の外側部材が長さ230〜300ミリメートルである、本発明1001の装置。
[本発明1008]
第一の外側部材が長さ265ミリメートルである、本発明1001の装置。
[本発明1009]
第一の外側部材の内腔が20〜80ミリメートルの直径を含む、本発明1001の装置。
[本発明1010]
第一の外側部材の内腔が56ミリメートルの直径を含む、本発明1001の装置。
[本発明1011]
第一の外側部材が70〜120ミリメートルの直径を含む、本発明1001の装置。
[本発明1012]
第一の外側部材が96ミリメートルの直径を含む、本発明1001の装置。
[本発明1013]
第二の外側部材が長さ190〜260ミリメートルである、本発明1001の装置。
[本発明1014]
第二の外側部材が長さ228ミリメートルである、本発明1001の装置。
[本発明1015]
第二の外側部材の内腔が70〜140ミリメートルの直径を含む、本発明1001の装置。
[本発明1016]
第二の外側部材の内腔が106ミリメートルの直径を含む、本発明1001の装置。
[本発明1017]
第二の外側部材が110〜160ミリメートルの直径を含む、本発明1001の装置。
[本発明1018]
第二の外側部材が131.5ミリメートルの直径を含む、本発明1001の装置。
[本発明1019]
第一の流路の少なくとも一部分が3ミリメートルの幅を含む、本発明1001の装置。
[本発明1020]
第二の流路の少なくとも一部分が5ミリメートルの幅を含む、本発明1001の装置。
[本発明1021]
第一の流路および第二の流路の少なくとも一部分の幅が変化することができるように中心部材が第一の外側部材および第二の外側部材に対して調節可能である、本発明1001の装置。
[本発明1022]
第一の流路の少なくとも一部分の幅が変化することができるように第一の外側部材が中心部材に対して調節可能である、本発明1001の装置。
[本発明1023]
第二の流路の少なくとも一部分の幅が変化することができるように第二の外側部材が中心部材に対して調節可能である、本発明1001の装置。
[本発明1024]
第一の流路と流体連通した四つの入口であって、これらを通って流体が該第一の流路に入ることができる、四つの入口；および
第二の流路と流体連通した四つの入口であって、これらを通って流体が該第二の流路に入ることができる、四つの入口
をさらに含む、本発明1001の装置。
[本発明1025]
中心部材のチップが第一端および第二端を有し、かつ該チップの第二端が実質的に凹状である、本発明1001の装置。
[本発明1026]
第一の流路を通って移動する流体が攪乱されるように、中心部材に結合されかつ少なくとも部分的に該第一の流路の中に広がる渦流式導流板
をさらに含む、本発明1001の装置。
[本発明1027]
第一の流路および第二の流路を通って移動する流体が攪乱されるように、中心部材に結合されかつ少なくとも部分的に該第二の流路の中に広がる渦流式導流板
をさらに含む、本発明1026の装置。
[本発明1028]
中心部材が、該中心部材の縦軸と同心的でありかつ該中心部材のボディおよびチップを通って延びる内腔を含むならば、該中心部材の内腔を通って移動する流体が攪乱される、該中心部材に結合された渦流式導流板
をさらに含む、本発明1001の装置。
[本発明1029]
第一の外側部材が、流体を第一の流路に対して実質的に垂直に該第一の流路に導入することができるように構成されている、本発明1001の装置。
[本発明1030]
第二の外側部材が、流体を第二の流路に対して実質的に垂直に該第二の流路に導入することができるように構成されている、本発明1001の装置。
[本発明1031]
中心部材に結合された点火プラグ
をさらに含む、本発明1001の装置。
[本発明1032]
縦軸を有し、かつ
少なくとも一部分が実質的に円柱形であるボディ；
該ボディと一体であるチップであって、該チップの少なくとも一部分が実質的に半球形である、チップ；および
該ボディおよび該チップを通って延びる内腔であって、中心部材の縦軸と同心的である、内腔
を含む、中心部材と；
ボディ；
該ボディと一体であるチップ；および
該中心部材の縦軸と同心的である内腔
を含む第一の外側部材であって、該第一の外側部材と該中心部材との間に第一の流路が画定されるように配置されている、第一の外側部材と；
ボディ；
該ボディと一体であるチップ；および
該中心部材の縦軸と同心的である内腔
を含む第二の外側部材であって、該第二の外側部材と該第一の外側部材との間に第二の流路が画定されるように配置されている、第二の外側部材と
を含む、燃焼装置であって、
流体が該中心部材の内腔を通って移動して該中心部材のチップから出ることを可能にし；
流体が該第一の流路を通って移動して該第一の外側部材のチップから出ることを可能にし；かつ
流体が該第二の流路を通って移動して該第二の外側部材のチップから出ることを可能にするように構成されている、
燃焼装置。
[本発明1033]
第一の外側部材のチップの少なくとも一部分および第二の外側部材のチップの少なくとも一部分がそれぞれ中心部材のチップに向かって延びる、本発明1032の装置。
[本発明1034]
中心部材が長さ250〜320ミリメートルである、本発明1032の装置。
[本発明1035]
中心部材が長さ285ミリメートルである、本発明1032の装置。
[本発明1036]
中心部材が25〜75ミリメートルの直径を含む、本発明1032の装置。
[本発明1037]
中心部材が50ミリメートルの直径を含む、本発明1032の装置。
[本発明1038]
第一の外側部材が長さ230〜300ミリメートルである、本発明1032の装置。
[本発明1039]
第一の外側部材が長さ265ミリメートルである、本発明1032の装置。
[本発明1040]
第一の外側部材の内腔が20〜80ミリメートルの直径を含む、本発明1032の装置。
[本発明1041]
第一の外側部材の内腔が56ミリメートルの直径を含む、本発明1032の装置。
[本発明1042]
第一の外側部材が70〜120ミリメートルの直径を含む、本発明1032の装置。
[本発明1043]
第一の外側部材が96ミリメートルの直径を含む、本発明1032の装置。
[本発明1044]
第二の外側部材が長さ190〜260ミリメートルである、本発明1032の装置。
[本発明1045]
第二の外側部材が長さ228ミリメートルである、本発明1032の装置。
[本発明1046]
第二の外側部材の内腔が70〜140ミリメートルの直径を含む、本発明1032の装置。
[本発明1047]
第二の外側部材の内腔が106ミリメートルの直径を含む、本発明1032の装置。
[本発明1048]
第二の外側部材が110〜160ミリメートルの直径を含む、本発明1032の装置。
[本発明1049]
第二の外側部材が131.5ミリメートルの直径を含む、本発明1032の装置。
[本発明1050]
第一の流路の少なくとも一部分が3ミリメートルの幅を含む、本発明1032の装置。
[本発明1051]
第二の流路の少なくとも一部分が5ミリメートルの幅を含む、本発明1032の装置。
[本発明1052]
第一の流路および第二の流路の少なくとも一部分の幅が変化することができるように中心部材が第一の外側部材および第二の外側部材に対して調節可能である、本発明1032の装置。
[本発明1053]
第一の流路の少なくとも一部分の幅が変化することができるように第一の外側部材が中心部材に対して調節可能である、本発明1032の装置。
[本発明1054]
第二の流路の少なくとも一部分の幅が変化することができるように第二の外側部材が中心部材に対して調節可能である、本発明1032の装置。
[本発明1055]
第一の流路と流体連通した四つの入口であって、これらを通って流体が該第一の流路に入ることができる、四つの入口；および
第二の流路と流体連通した四つの入口であって、これらを通って流体が該第二の流路に入ることができる、四つの入口
をさらに含む、本発明1032の装置。
[本発明1056]
中心部材のチップが第一端および第二端を有し、かつ該チップの第二端が実質的に凹状である、本発明1032の装置。
[本発明1057]
第一の流路を通って移動する流体が攪乱されるように、中心部材に結合されかつ少なくとも部分的に該第一の流路の中に広がる渦流式導流板
をさらに含む、本発明1001の装置。
[本発明1058]
第一の流路および第二の流路を通って移動する流体が攪乱されるように、中心部材に結合されかつ少なくとも部分的に該第二の流路の中に広がる渦流式導流板
をさらに含む、本発明1026の装置。
[本発明1059]
中心部材の内腔を通って移動する流体が攪乱されるように、該中心部材に結合された渦流式導流板
をさらに含む、本発明1001の装置。
[本発明1060]
第一の外側部材が、流体を第一の流路に対して実質的に垂直に該第一の流路に導入することができるように構成されている、本発明1032の装置。
[本発明1061]
第二の外側部材が、流体を第二の流路に対して実質的に垂直に該第二の流路に導入することができるように構成されている、本発明1032の装置。
[本発明1062]
中心部材に結合された点火プラグ
をさらに含む、本発明1032の装置。
[本発明1063]
ベースと；
縦軸を有し、かつ
該ベースに結合されたボディであって、該ボディの少なくとも一部分が実質的に円柱形である、ボディ；および
該ボディと一体であるチップであって、該チップの少なくとも一部分が実質的に半球形である、チップ
を含む、中心部材と；
ボディ；
該ボディと一体であるチップであって、該中心部材のチップの少なくとも一部分が第一の外側部材のチップよりも該ベースから遠い、チップ；および
該中心部材の縦軸と同心的である内腔
を含む第一の外側部材であって、該第一の外側部材と該中心部材との間に第一の流路が画定されるように配置されている、第一の外側部材と；
ボディ；
該ボディと一体であるチップであって、該中心部材のチップの少なくとも一部分が第二の外側部材のチップよりも該ベースから遠い、チップ；および
該中心部材の縦軸と同心的である内腔
を含む第二の外側部材であって、該第二の外側部材と該第一の外側部材との間に第二の流路が画定されるように配置されている、第二の外側部材と
を含む、燃焼装置であって、
流体が該第一の流路を通って移動して該第一の外側部材のチップから出ることを可能にし；かつ
流体が該第二の流路を通って移動して該第二の外側部材のチップから出ることを可能にするように構成されている、
燃焼装置。
[本発明1064]
第一の外側部材のチップの少なくとも一部分および第二の外側部材のチップの少なくとも一部分がそれぞれ中心部材のチップに向かって延びる、本発明1063の装置。
[本発明1065]
中心部材が長さ250〜320ミリメートルである、本発明1063の装置。
[本発明1066]
中心部材が長さ285ミリメートルである、本発明1063の装置。
[本発明1067]
中心部材が25〜75ミリメートルの直径を含む、本発明1063の装置。
[本発明1068]
中心部材が50ミリメートルの直径を含む、本発明1063の装置。
[本発明1069]
第一の外側部材が長さ230〜300ミリメートルである、本発明1063の装置。
[本発明1070]
第一の外側部材が長さ265ミリメートルである、本発明1063の装置。
[本発明1071]
第一の外側部材の内腔が20〜80ミリメートルの直径を含む、本発明1063の装置。
[本発明1072]
第一の外側部材の内腔が56ミリメートルの直径を含む、本発明1063の装置。
[本発明1073]
第一の外側部材が70〜120ミリメートルの直径を含む、本発明1063の装置。
[本発明1074]
第一の外側部材が96ミリメートルの直径を含む、本発明1063の装置。
[本発明1075]
第二の外側部材が長さ190〜260ミリメートルである、本発明1063の装置。
[本発明1076]
第二の外側部材が長さ228ミリメートルである、本発明1063の装置。
[本発明1077]
第二の外側部材の内腔が70〜140ミリメートルの直径を含む、本発明1063の装置。
[本発明1078]
第二の外側部材の内腔が106ミリメートルの直径を含む、本発明1063の装置。
[本発明1079]
第二の外側部材が110〜160ミリメートルの直径を含む、本発明1063の装置。
[本発明1080]
第二の外側部材が131.5ミリメートルの直径を含む、本発明1063の装置。
[本発明1081]
第一の流路の少なくとも一部分が3ミリメートルの幅を含む、本発明1063の装置。
[本発明1082]
第二の流路の少なくとも一部分が5ミリメートルの幅を含む、本発明1063の装置。
[本発明1083]
第一の流路および第二の流路の少なくとも一部分の幅が変化することができるように中心部材が第一の外側部材および第二の外側部材に対して調節可能である、本発明1063の装置。
[本発明1084]
第一の流路の少なくとも一部分の幅が変化することができるように第一の外側部材が中心部材に対して調節可能である、本発明1063の装置。
[本発明1085]
第二の流路の少なくとも一部分の幅が変化することができるように第二の外側部材が中心部材に対して調節可能である、本発明1063の装置。
[本発明1086]
第一の流路と流体連通した四つの入口であって、これらを通って流体が該第一の流路に入ることができる、四つの入口；および
第二の流路と流体連通した四つの入口であって、これらを通って流体が該第二の流路に入ることができる、四つの入口
をさらに含む、本発明1063の装置。
[本発明1087]
中心部材のチップが第一端および第二端を有し、かつ該チップの第二端が実質的に凹状である、本発明1063の装置。
[本発明1088]
第一の流路を通って移動する流体が攪乱されるように、中心部材に結合されかつ少なくとも部分的に該第一の流路の中に広がる渦流式導流板
をさらに含む、本発明1001の装置。
[本発明1089]
第一の流路および第二の流路を通って移動する流体が攪乱されるように、中心部材に結合されかつ少なくとも部分的に該第二の流路の中に広がる渦流式導流板
をさらに含む、本発明1026の装置。
[本発明1090]
中心部材が、該中心部材の縦軸と同心的でありかつ該中心部材のボディおよびチップを通って延びる内腔を含むならば、該中心部材の内腔を通って移動する流体が攪乱される、該中心部材に結合された渦流式導流板
をさらに含む、本発明1001の装置。
[本発明1091]
第一の外側部材が、流体を第一の流路に対して実質的に垂直に該第一の流路に導入することができるように構成されている、本発明1063の装置。
[本発明1092]
第二の外側部材が、流体を第二の流路に対して実質的に垂直に該第二の流路に導入することができるように構成されている、本発明1063の装置。
[本発明1093]
中心部材に結合された点火プラグ
をさらに含む、本発明1063の装置。
[本発明1094]
チップを有する中心部材であって、該チップの少なくとも一部分が実質的に半球形である、中心部材；および
第一の外側部材
によって画定される第一の流路に第一の流体を導入する工程；
該第一の外側部材および第二の外側部材によって画定される第二の流路に第二の流体を導入する工程；
該第一の流体および該第二の流体を該中心部材のチップの上に流し、混合させる工程；および
該第一の流体と該第二の流体との混合物を発火させる工程
を含む、燃焼方法。
[本発明1095]
第一の流体を第一の流路に対して実質的に垂直に該第一の流路に導入する工程
をさらに含む、本発明1094の方法。
[本発明1096]
第二の流体を第二の流路に対して実質的に垂直に該第二の流路に導入する工程
をさらに含む、本発明1094の方法。
[本発明1097]
第一の流路および第二の流路の少なくとも一部分の幅が変化するように中心部材を第一の外側部材および第二の外側部材に対して調節する工程
をさらに含む、本発明1094の方法。
[本発明1098]
第一の流路の少なくとも一部分の幅が変化するように第一の外側部材を中心部材に対して調節する工程
をさらに含む、本発明1094の方法。
[本発明1099]
第一の流路の少なくとも一部分の幅が消炎距離に類似している、本発明1098の方法。
[本発明1100]
第二の流路の少なくとも一部分の幅が変化するように第二の外側部材を中心部材に対して調節する工程
をさらに含む、本発明1094の方法。
[本発明1101]
第二の流路の少なくとも一部分の幅が消炎距離に類似している、本発明1100の方法。
[本発明1102]
第一の流体と第二の流体との混合物を点火プラグで発火させる工程
をさらに含み、点火プラグが中心部材に結合されている、本発明1094の方法。
[本発明1103]
第一の流体が燃料を含み、かつ第二の流体が空気を含む、本発明1094の方法。
[本発明1104]
第一の流体が空気を含み、かつ第二の流体が燃料を含む、本発明1094の方法。
[本発明1105]
第一の流体が燃料を含み、かつ第二の流体が酸化剤を含む、本発明1094の方法。
[本発明1106]
第一の流体が酸化剤を含み、かつ第二の流体が燃料を含む、本発明1094の方法。
[本発明1107]
第一の流体が空気と燃料との混合物を含み、かつ第二の流体が燃料と空気との混合物を含む、本発明1094の方法。
[本発明1108]
第一の流体が酸化剤と燃料との混合物を含み、かつ第二の流体が燃料と酸化剤との混合物を含む、本発明1094の方法。
[本発明1109]
第一の流体が希薄予混合物を含み、かつ第二の流体が濃厚予混合物を含む、本発明1094の方法。
[本発明1110]
希薄予混合物および濃厚予混合物が可燃性である、本発明1109の方法。
[本発明1111]
第一の流体が濃厚予混合物を含み、第二の流体が希薄予混合物を含む、本発明1094の方法。
[本発明1112]
希薄予混合物および濃厚予混合物が可燃性である、本発明1111の方法。
[本発明1113]
中心部材および第一の外側部材によって画定される第一の流路に第一の流体を導入する工程；
第一の外側部材および第二の外側部材によって画定される第二の流路に第二の流体を導入する工程；
第三の流体を該中心部材の内腔を通って導入する工程であって、該中心部材が、縦軸を有し、かつ
少なくとも一部分が実質的に円柱形であるボディ；および
該ボディと一体であるチップであって、該チップの少なくとも一部分が実質的に半球形である、チップ
を含み、該中心部材の内腔が該中心部材の縦軸と同心的でありかつ該ボディおよび該チップを通って延びる、工程；
該第一の流体および該第二の流体を該中心部材のチップの上に流し、該第三の流体と混合させる工程；および
該第一の流体、該第二の流体および該第三の流体の混合物を発火させる工程
を含む、燃焼方法。
[本発明1114]
第一の流体を第一の流路に対して実質的に垂直に該第一の流路に導入する工程
をさらに含む、本発明1113の方法。
[本発明1115]
第二の流体を第二の流路に対して実質的に垂直に該第二の流路に導入する工程
をさらに含む、本発明1113の方法。
[本発明1116]
第一の流路および第二の流路の少なくとも一部分の幅が変化するように中心部材を第一の外側部材および第二の外側部材に対して調節する工程
をさらに含む、本発明1113の方法。
[本発明1117]
第一の流路の少なくとも一部分の幅が変化するように第一の外側部材を中心部材に対して調節する工程
をさらに含む、本発明1113の方法。
[本発明1118]
第二の流路の少なくとも一部分の幅が消炎距離に類似している、本発明1117の方法。
[本発明1119]
第二の流路の少なくとも一部分の幅が変化するように第二の外側部材を中心部材に対して調節する工程
をさらに含む、本発明1113の方法。
[本発明1120]
第一の流路の少なくとも一部分の幅が消炎距離に類似している、本発明1119の方法。
[本発明1121]
第一の流体、第二の流体および第三の流体の混合物を点火プラグで発火させる工程
をさらに含み、点火プラグが中心部材に結合されている、本発明1113の方法。
[本発明1122]
第一の流体が燃料を含み、かつ第二の流体が空気を含む、本発明1113の方法。
[本発明1123]
第一の流体が空気を含み、かつ第二の流体が燃料を含む、本発明1113の方法。
[本発明1124]
第一の流体が燃料を含み、かつ第二の流体が酸化剤を含む、本発明1113の方法。
[本発明1125]
第一の流体が酸化剤を含み、かつ第二の流体が燃料を含む、本発明1113の方法。
[本発明1126]
第一の流体が空気と燃料との混合物を含み、かつ第二の流体が燃料と空気との混合物を含む、本発明1113の方法。
[本発明1127]
第一の流体が酸化剤と燃料との混合物を含み、かつ第二の流体が燃料と酸化剤との混合物を含む、本発明1113の方法。
[本発明1128]
第一の流体が希薄予混合物を含み、かつ第二の流体が濃厚予混合物を含む、本発明1113の方法。
[本発明1129]
希薄予混合物および濃厚予混合物が可燃性である、本発明1128の方法。
[本発明1130]
v
第一の流体が濃厚予混合物を含み、かつ第二の流体が希薄予混合物を含む、本発明1113の方法。
[本発明1131]
希薄予混合物および濃厚予混合物が可燃性である、本発明1130の方法。
[本発明1132]
第一の流体が燃料を含み、第二の流体が空気を含み、かつ第三の流体が燃料を含む、本発明1113の方法。
[本発明1133]
第一の流体が空気を含み、第二の流体が燃料を含み、かつ第三の流体が燃料を含む、本発明1113の方法。
上記態様および他の態様に関する詳細を以下に提示する。